(57)【要約】【課題】共通の単数のフレームから連続した２つのフィールドを生成して得られた形式の画像信号であるか否かを高い信頼性で判定できる信号処理方法を提供する。【解決手段】差分生成部３１，３２は、ビデオ信号Ｓ２０の各々のフィ−ルドについて、当該フィールドとその１つ前のフィールドとの差分ＰＲ＿Ｄを検出し、当該フィールドとその１つ後のフィールドとの差分ＰＯ＿Ｄを検出する。そして、判定用データ生成部３３において、差分ＰＲ＿ＤとＰＯ＿Ｄとの差分等に基づいて、判定対象のビデオ信号が２−２シーケンス形式であるか否かを判定する。【選択図】      図７
2005057336.tif 000002
【特許請求の範囲】
【請求項１】
共通の単数のフレームから連続した２つのフィールドを生成して得られた形式の画像信号であるか否かを判定する信号処理方法であって、
判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する第１の工程と、
前記第１の工程で生成した前記第３の差分を基に、共通の単数のフレームから連続した２つのフィールドを生成して得られた形式の画像信号であるか否かを判定する第２の工程と
を有する信号処理方法。
【請求項２】
前記第２の工程は、連続した４フィールド以上のフィールドについて前記第１の工程で生成した前記第３の差分が、正の第１のしきい値より大きいという第１の条件と、負の第２のしきい値より小さいという第２の条件を交互に満たす場合に、前記画像信号が前記形式であると判定する
請求項１に記載の信号処理方法。
【請求項３】
前記第２の工程は、前記第３の差分が前記第１のしきい値より大きく、かつ、前記第１の差分が前記第２の差分の所定倍より大きいという前記第１の条件と、前記第３の差分が前記第２のしきい値より小さく、かつ、前記第２の差分が前記第１の差分の前記所定倍より大きいという第２の条件とを交互に満たす場合に、前記画像信号が前記形式であると判定する
請求項２に記載の信号処理方法。
【請求項４】
共通の単数のフレームから連続した２つのフィールドを生成して得られた形式の画像信号であるか否かを、当該画像信号のフィールド単位で順次判定する信号処理方法であって、
判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する第１の工程と、
前回の判定で前記画像信号が前記形式であるとした場合に、前記第１の工程で生成した前記第３の差分の絶対値が第１のしきい値を越え、かつ、前記第１の工程で前回生成した前記第３の差分と符号が反転しているという第１の条件を満たした場合の他、前記第１の工程で生成した前記第３の差分の絶対値が前記第１のしきい値より小さい第２のしきい値を越えず、かつ、前記第１の工程で前回生成した前記第３の差分と符号が異なるという第２の条件を満たした場合にも、前記前回の判定を維持する第２の工程と
を有する信号処理方法。
【請求項５】
共通の単数のフレームから連続した２つのフィールドを生成して得られた形式の画像信号であるか否かを判定する信号処理装置であって、
判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する差分生成手段と、
前記差分生成手段が生成した前記第３の差分を基に、共通の単数のフレームから連続した２つのフィールドを生成して得られた形式の画像信号であるか否かを判定する判定手段と
を有する信号処理装置。
【請求項６】
前記判定手段は、連続した４フィールド以上のフィールドについての前記差分生成手段が生成した前記第３の差分が、正の第１のしきい値より大きいという第１の条件と、負の第２のしきい値より小さいという第２の条件を交互に満たす場合に、前記画像信号が前記形式であると判定する
請求項５に記載の信号処理装置。
【請求項７】
前記判定手段は、前記第３の差分が前記第１のしきい値より大きく、かつ、前記第１の差分が前記第２の差分の所定倍より大きいという前記第１の条件と、前記第３の差分が前記第２のしきい値より小さく、かつ、前記第２の差分が前記第１の差分の前記所定倍より大きいという第２の条件とを交互に満たす場合に、前記画像信号が前記形式であると判定する
請求項６に記載の信号処理装置。
【請求項８】
共通の単数のフレームから連続した２つのフィールドを生成して得られた形式の画像信号であるか否かを、当該画像信号のフィールド単位で順次判定する信号処理装置であって、
判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する差分生成手段と、
前回の判定で前記画像信号が前記形式であるとした場合に、前記差分生成手段が生成した前記第３の差分の絶対値が第１のしきい値を越え、かつ、前記第１の工程で前回生成した前記第３の差分と符号が反転しているという第１の条件を満たした場合の他、前記第１の工程で生成した前記第３の差分の絶対値が前記第１のしきい値より小さい第２のしきい値を越えず、かつ、前記差分生成手段が前回生成した前記第３の差分と符号が異なるという第２の条件を満たした場合にも、前記前回の判定を維持する判定手段と
を有する信号処理装置。
【発明の詳細な説明】
【０００１】
【発明の属する技術分野】
本発明は、２−２シーケンス形式に基づいて共通のフレームから連続した複数のフィールドを生成して得られた画像信号であるか否かを判定する信号処理方法およびその装置に関する。
【０００２】
【従来の技術】
インターレース形式の画像信号は、その１フレームが２フィールドで構成されており、２フィールドで１フレームの全ての水平ラインの信号が揃うように各フィールドが構成されている。
これに対して、プログレッシブ形式の画像信号は、１フィールドの水平ライン数をインターレース形式の画像信号の２倍にし、インターレースすることなく表示を行うために用いられる。プログレッシブ形式の画像信号による映像は、インターレース形式の画像信号による映像に比べて高画質である。
【０００３】
ところで、インターレース形式からプログレッシブ形式に画像信号を変換する場合、インターレース形式の画像信号の各フィールドの水平ライン数を２倍にする必要があるが、その場合に、元の画像信号が、どのような形式の画像信号であるかを検出して、その検出に基づいて、水平ライン数を増やす変換処理を行う必要がある。
例えば、画像信号のフレーム周波数が３０Ｈｚであるとすると、コンピュータグラフィックで作成されたアニメーションなどの映像の場合には、元の画像として、１秒当たり３０枚の画像を作成して、作成された１枚の画像から１フレーム、すなわち２フィールドを生成してインターレース形式の画像信号生成している。なお、このようなインターレース形式は２・２シーケンス形式と呼ばれる。
従って、このような画像信号をプログレッシブ形式に変換する場合には、各フィールドを、それに対応する隣接する他のフィールドの水平ラインを用いてライン補間を行う。
【０００４】
ところで、上述した画像信号が２−２シーケンスであるか否かを判定する手法には、例えば、各フィールドとその直前のフィールドとを画素単位で比較し、そのレベル差が固定的に決められたしきい値を越えたか否かをフィールド単位で順に検出することで、上記判定を行うものがある。
【０００５】
【特許文献１】特開平０９−１８７８４号公報
【０００６】
【発明が解決しようとする課題】
しかしながら、上述した従来の判定方法では、上記しきい値として用いる最適な値は、画像の内容によって異なり、画像の内容によっては、上記レベル差がしきい値を越えたか否かの判断情報が、上記２−２シーケンス形式を判定する上で適切でない場合がある。
例えば、上記画像信号による画像の動きの大小により、最適な上記しきい値は変動する。
そのため、従来の上述した手法では、画像信号の２−２シーケンス形式の判定の信頼性が低いという問題がある。
【０００７】
本発明は上述した従来技術に鑑みなされたもので、共通の単数のフレームから連続した２つのフィールドを生成して得られた形式の画像信号であるか否かを高い信頼性で判定できる信号処理方法およびその装置を提供することを目的とする。
【０００８】
【課題を解決するための手段】
上述した目的を達成するために、第１の発明の信号処理方法は、共通の単数のフレームから連続した２つのフィールドを生成して得られた形式の画像信号であるか否かを判定する信号処理方法であって、判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する第１の工程と、前記第１の工程で生成した前記第３の差分を基に、共通の単数のフレームから連続した２つのフィールドを生成して得られた形式の画像信号であるか否かを判定する第２の工程とを有する。
【０００９】
第１の発明の信号処理方法の作用は以下のようになる。
先ず、第１の工程において、判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する。
次に、第２の工程において、前記第１の工程で生成した前記第３の差分を基に、共通の単数のフレームから連続した２つのフィールドを生成して得られた形式の画像信号であるか否かを判定する。
【００１０】
第２の発明の信号処理方法は、共通の単数のフレームから連続した２つのフィールドを生成して得られた形式の画像信号であるか否かを、当該画像信号のフィールド単位で順次判定する信号処理方法であって、判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する第１の工程と、前回の判定で前記画像信号が前記形式であるとした場合に、前記第１の工程で生成した前記第３の差分の絶対値が第１のしきい値を越え、かつ、前記第１の工程で前回生成した前記第３の差分と符号が反転しているという第１の条件を満たした場合の他、前記第１の工程で生成した前記第３の差分の絶対値が前記第１のしきい値より小さい第２のしきい値を越えず、かつ、前記第１の工程で前回生成した前記第３の差分と符号が異なるという第２の条件を満たした場合にも、前記前回の判定を維持する第２の工程とを有する。
【００１１】
第２の発明の信号処理方法の作用は以下のようになる。
先ず、第１の工程において、判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する。
次に、第２の工程において、前回の判定で前記画像信号が前記形式であるとした場合に、前記第１の工程で生成した前記第３の差分の絶対値が第１のしきい値を越え、かつ、前記第１の工程で前回生成した前記第３の差分と符号が反転しているという第１の条件を満たした場合の他、前記第１の工程で生成した前記第３の差分の絶対値が前記第１のしきい値より小さい第２のしきい値を越えず、かつ、前記第１の工程で前回生成した前記第３の差分と符号が異なるという第２の条件を満たした場合にも、前記前回の判定を維持する。
【００１２】
第３の発明の信号処理装置は、共通の単数のフレームから連続した２つのフィールドを生成して得られた形式の画像信号であるか否かを判定する信号処理装置であって、判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する差分生成手段と、前記差分生成手段が生成した前記第３の差分を基に、共通の単数のフレームから連続した２つのフィールドを生成して得られた形式の画像信号であるか否かを判定する判定手段とを有する。
【００１３】
第３の発明の信号処理装置の作用は以下のようになる。
差分生成手段が、判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する。
次に、判定手段が、前記差分生成手段が生成した前記第３の差分を基に、共通の単数のフレームから連続した２つのフィールドを生成して得られた形式の画像信号であるか否かを判定する。
【００１４】
第４の発明の信号処理装置は、共通の単数のフレームから連続した２つのフィールドを生成して得られた形式の画像信号であるか否かを、当該画像信号のフィールド単位で順次判定する信号処理装置であって、判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する差分生成手段と、前回の判定で前記画像信号が前記形式であるとした場合に、前記差分生成手段が生成した前記第３の差分の絶対値が第１のしきい値を越え、かつ、前記第１の工程で前回生成した前記第３の差分と符号が反転しているという第１の条件を満たした場合の他、前記第１の工程で生成した前記第３の差分の絶対値が前記第１のしきい値より小さい第２のしきい値を越えず、かつ、前記差分生成手段が前回生成した前記第３の差分と符号が異なるという第２の条件を満たした場合にも、前記前回の判定を維持する判定手段とを有する。
【００１５】
第４の発明の信号処理装置の作用は以下のようになる。
先ず、差分生成手段が、判定対象の画像信号の各フィールドについて順に、当該フィールドと当該フィールドの１つ前のフィールドとの第１の差分と、当該フィールドと当該フィールドの１つ後のフィールドとの第２の差分との間の第３の差分を生成する。
次に、判定手段が、前回の判定で前記画像信号が前記形式であるとした場合に、前記差分生成手段が生成した前記第３の差分の絶対値が第１のしきい値を越え、かつ、前記第１の工程で前回生成した前記第３の差分と符号が反転しているという第１の条件を満たした場合の他、前記第１の工程で生成した前記第３の差分の絶対値が前記第１のしきい値より小さい第２のしきい値を越えず、かつ、前記差分生成手段が前回生成した前記第３の差分と符号が異なるという第２の条件を満たした場合にも、前記前回の判定を維持する。
【００１６】
【発明の実施の形態】
以下、本発明の実施形態に係わる信号処理装置について説明する。
第１実施形態
当該実施形態は、第１および第３の発明に対応した実施形態である。
以下、２−２シーケンス判定部に特徴を有する信号処理装置１について説明する。
図１は、本発明の第１実施形態に係わる信号処理装置１の構成図である。
図１に示すように、信号処理装置１は、例えば、前処理部５、ＩＰ変換部６、表示駆動部７および表示部８を有する。
ここで、信号処理装置１またはＩＰ変換部６が第３の発明の信号処理装置に対応している。
【００１７】
前処理部５は、入力したビデオ信号Ｓ０に前処理を施してビデオ信号Ｓ５を生成し、これをＩＰ変換部６に出力する。
ＩＰ変換部６は、入力したビデオ信号Ｓ５にＩＰ（Ｉｎｔｅｒｌａｃｅ  Ｐｒｏｇｒｅｓｓｉｖｅ）  変換を施してビデオ信号Ｓ６を生成し、これを表示駆動部７に出力する。
表示駆動部７は、ビデオ信号Ｓ６を基に表示部８を制御して、ビデオ信号Ｓ６に応じた画像を表示部８に表示させる。
【００１８】
本実施形態では、ＩＰ変換部６において、ビデオ信号Ｓ５が、図２に示す２−２シーケンス形式のビデオ信号であるか否かを判定する。
図２に示すように、ビデオ信号Ｓ５は、２−２シーケンス形式のインターレース信号である場合に、例えば、周波数３０Ｈｚのプログレッシブ形式のビデオ信号ＰＳの各フレームから奇数フィールドおよび偶数フィールドを生成して得られる周波数６０Ｈｚの信号である。
図２に示すように、ビデオ信号Ｓ５が２−２シーケンス形式である場合に、例えば、ビデオ信号Ｓ５の奇数フィールド「Ａ（ｏｄｄ）」およびそれに続く偶数フィールド「Ａ（ｅｖｅｎ）」は、プログレッシブ形式のビデオ信号ＰＳのフレーム「Ａ」から生成される。
また、ビデオ信号Ｓ５の奇数フィールド「Ｂ（ｏｄｄ）」およびそれに続く偶数フィールド「Ｂ（ｅｖｅｎ）」は、プログレッシブ形式のビデオ信号ＰＳのフレーム「Ｂ」から生成される。
また、ビデオ信号Ｓ５の奇数フィールド「Ｃ（ｏｄｄ）」およびそれに続く偶数フィールド「Ｃ（ｅｖｅｎ）」は、プログレッシブ形式のビデオ信号ＰＳのフレーム「Ｃ」から生成される。
【００１９】
ＩＰ変換部６は、２−２シーケンス形式のビデオ信号Ｓ５に２−２変換を施して、図２に示すように、６０Ｈｚのプログレッシブ信号であるビデオ信号Ｓ６を生成する。
【００２０】
図３は、図１に示すＩＰ変換部６の構成図である。
図３に示すように、ＩＰ変換部６は、例えば、メモリ１３、フィールド補間部１４、２−２シーケンス判定部１５、２−２変換部１６、ＩＰ変換部１７および出力部１８を有する。
〔メモリ１３〕
メモリ１３は、前処理部５から入力したビデオ信号Ｓ５を一時的に記憶して２−２シーケンス判定部１５に出力する。
具体的には、メモリ１３は、前処理部５から入力したビデオ信号Ｓ５を、フィールド補間部１４における処理時間だけ遅延させて２−２シーケンス判定部１５に出力する。
【００２１】
〔フィールド補間部１４〕
フィールド補間部１４は、前処理部５から入力したビデオ信号Ｓ５のフィールドをライン補間するフィールドからなるビデオ信号Ｓ１４を生成し、これを２−２シーケンス判定部１５に出力する。
例えば、ビデオ信号Ｓ５が図２を用いて説明した２−２シーケンス形式である場合、図４に示すように、フィールド補間部１４は、例えば、ビデオ信号Ｓ５の奇数フィールド「Ａ（ｏｄｄ）」のラインＬ＿ｏｄｄ（実ライン）を基にラインＬ＿ｏｄｄ’（補間ライン）を生成することで、当該ラインＬ＿ｏｄｄ’からなるビデオ信号Ｓ１４を生成する。
偶数フィールド「Ａ（ｅｖｅｎ）」、奇数フィールド「Ｂ（ｏｄｄ）」，偶数フィールド「Ｂ（ｅｖｅｎ）」、奇数フィールド「Ｃ（ｏｄｄ）」，偶数フィールド「Ｃ（ｅｖｅｎ）」についても同様である。
【００２２】
具体的には、フィールド補間部１４は、図５に示すように、各フィールドについて、当該フィールドの隣接する実ラインＲＬ１，ＲＬ２上の１０個の画素の画素データを基に、補間ライン１Ｌ上の１個の画素の画素データを生成して上記ライン補間を行う。
例えば、フィールド補間部１４は、例えば、画素ｈの画素データを生成する場合に、画素ｈを直線で通過する上下の２つの画素のペアａ−ｏ，ｂ−ｎ，ｃ−ｍ，ｄ−ｌ，ｅ−ｋを用意し、その用意された複数のペアの中から、そのときの画像の状態に基づいて最も確からしい画素のペアを選択する。そして、フィールド補間部１４は、当該選択した画素のペアの画素データの平均をとることにより、補間点の画素ｈの画素データを生成する。
【００２３】
これにより、２−２シーケンス判定部１５には、ビデオ信号Ｓ５とビデオ信号Ｓ１４により、図６に示すように、各フィールドがライン補間された１フレーム分の情報を持つビデオ信号Ｓ２０が入力される。
【００２４】
〔２−２シーケンス判定部１５〕
図７は、図３に示す２−２シーケンス判定部１５の構成図である。
図７に示すように、２−２シーケンス判定部１５は、例えば、差分生成部３１、差分生成部３２、判定用データ生成部３３および判定部３４を有する。
ここで、差分検生成３１が第３の発明の差分生成手段に対応し、判定用データ生成部３３および判定部３４が第３の発明の判定手段に対応している。
【００２５】
差分生成部３１は、図８に示すように、図８（Ａ）に示すビデオ信号Ｓ２０の各々のフィ−ルドについて、当該フィールドとその１つ前のフィールドとの差分ＰＲ＿Ｄ（第１の発明の第１の差分）を検出し、図８（Ｂ）に示すように、その差分ＰＲ＿Ｄを順に示す差分信号Ｓ＿ＰＲ＿Ｄを生成する。
差分生成部３２は、図９に示すように、図９（Ａ）に示すビデオ信号Ｓ２０の各々のフィ−ルドについて、当該フィールドとその１つ後のフィールドとの差分ＰＯ＿Ｄ（第１の発明の第２の差分）を検出し、図９（Ｂ）に示すように、その差分ＰＯ＿Ｄを順に示す差分信号Ｓ＿ＰＯ＿Ｄを生成する。
【００２６】
判定用データ生成部３３は、差分信号Ｓ＿ＰＲ＿Ｄが示す差分ＰＲ＿Ｄと、差分信号Ｓ＿ＰＯ＿Ｄが示す差分ＰＯ＿Ｄとを基に、後述するように、判定用データＰＬＵＳ＿ＤおよびＭＩＮＵＳ＿Ｄを生成し、これを判定部３４に主する。
以下、判定用データ生成部３３の処理を詳細に説明する。
判定用データ生成部３３は、図１０に示すように、各フィールドについて、図１０（Ａ）に示す差分ＰＲ＿Ｄから、図１０（Ｂ）に示す差分ＰＯ＿Ｄを差し引いた図１０（Ｃ）に示す差分ＰＲＯ＿Ｄ（＝ＰＲ＿Ｄ−ＰＯ＿Ｄ）（第１の発明の第３の差分）を生成する。
判定用データ生成部３３は、図１１に示すように、差分ＰＲＯ＿Ｄの絶対値が、所定のしきい値ＰＲＯ−ＴＨより大きい場合に第１の論理値（例えば、論理値「１」）を示し、そうでない場合に第２の論理値（例えば、論理値「０」）を示すデータＬ＿Ｄを生成する。
ここで、符号が正のしきい値ＰＲＯ−ＴＨが第１の発明の第１のしきい値に対応し、符号が負のしきい値ＰＲＯ−ＴＨが第１の発明の第２のしきい値に対応している。
判定用データ生成部３３は、図１２および図１３に示すように、図１２（Ａ）に示す差分ＰＲ＿Ｄを、図１０（Ｂ）に示す差分ＰＯ＿Ｄで除算したデータＰＲＯ＿Ｒを生成する
判定用データ生成部３３は、差分ＰＲ＿Ｄ、ＰＯ＿Ｄ、ＰＲＯ＿Ｒを用いて下記式（１），（２）に示す演算を行ってデータＰＲＯ＿Ｒ＿Ｄ，ＰＯＲ＿Ｒ＿Ｄを生成する。
ここで、ＰＲＯ＿Ｒ＿Ｄが負の場合には、差分ＰＲ＿Ｄを差分ＰＯ＿Ｄで除算した値が所定のしきい値（１６倍）以上であり、ＰＯＲ＿Ｒ＿Ｄが負の場合には、差分ＰＯ＿Ｄを差分ＰＲ＿Ｄで除算した値が所定のしきい値（１６倍）以上であることを示している。
【００２７】
【数１】
ＰＲＯ＿Ｒ＿Ｄ＝ＰＲ＿Ｄ−（（ＰＯ＿Ｄ＊ＰＲＯ＿Ｒ）＞＞４）…（１）
【００２８】
【数２】
ＰＯＲ＿Ｒ＿Ｄ＝ＰＯ＿Ｄ−（（ＰＲ＿Ｄ＊ＰＲＯ＿Ｒ）＞＞４）…（２）
【００２９】
判定用データ生成部３３は、データＰＲＯ＿Ｒ＿Ｄ，ＰＯＲ＿Ｒ＿Ｄを用いて、下記式（３），（４）の論理演算を行って判定用データＰＬＵＳ＿ＤおよびＭＩＮＵＳ＿Ｄを生成する。
ＰＬＵＳ＿Ｄは、データＬ＿Ｄが真（第１の論理値）であり、（ＰＲＯ＿Ｄ＞１）が真であり、かつ、（ＰＲＯ＿Ｒ＿Ｄ＜０）が真の場合に、第１の論理値を示し、それ以外の場合に第２の論理値を示す。
ＭＩＮＵＳ＿Ｄは、データＬ＿Ｄが真（第１の論理値）であり、（ＰＲＯ＿Ｄ＜１）が真であり、かつ、（ＰＯＲ＿Ｒ＿Ｄ＜０）が真の場合に、第１の論理値を示し、それ以外の場合に第２の論理値を示す。
【００３０】
【数３】
ＰＬＵＳ＿Ｄ＝Ｌ＿Ｄ  ＆（ＰＲＯ＿Ｄ＞０）＆（ＰＲＯ＿Ｒ＿Ｄ＜０）…（３）
【００３１】
【数４】
ＭＩＮＵＳ＿Ｄ＝Ｌ＿Ｄ  ＆（ＰＲＯ＿Ｄ＜０）＆（ＰＯＲ＿Ｒ＿Ｄ＜０）…（４）
【００３２】
判定部３４は、判定用データＰＬＵＳ＿ＤおよびＭＩＮＵＳ＿Ｄを基に、予め決められた複数の状態の間を遷移し、その状態により、ビデオ信号Ｓ５が２−２シーケンス形式であるか否かを判定する。
【００３３】
具体的には、判定部３４は、初期状態ＩＮＩＴ、並びに状態Ｍ１，Ｍ２，Ｐ１，Ｐ２の５つの状態を有し、図１４に示すように、判定用データＰＬＵＳ＿ＤおよびＭＩＮＵＳ＿Ｄを基に、これらの５つの状態の間を遷移する。
判定部３４は、初期状態ＩＮＩＴに遷移するとカウント値Ｙを「０」にリセットし、状態Ｍ２あるいはＰ２に遷移するとカウント値Ｙを１だけインクリメントする（Ｙ＝Ｙ＋１）。
判定部３４は、ビデオ信号Ｓ５が２−２シーケンス形式である判定しているときに、初期状態ＩＮＩＴに遷移すると、その後、ビデオ信号Ｓ５が２−２シーケンス形式ではないと判定する。
また、判定部３４は、ビデオ信号Ｓ５が２−２シーケンス形式ではないと判定しているときに、状態Ｐ２から状態Ｐ１に遷移し、かつ、Ｙがしきい値Ｘ（本実施形態では、Ｘ＝３）以上である場合に、その後、ビデオ信号Ｓ５が２−２シーケンス形式であると判定する。
また、判定部３４は、ビデオ信号Ｓ５が２−２シーケンス形式ではないと判定しているときに、状態Ｍ２から状態Ｍ１に遷移し、かつ、Ｙがしきい値Ｘ（本実施形態では、Ｘ＝３）以上である場合に、その後、ビデオ信号Ｓ５が２−２シーケンス形式であると判定する。
すなわち、判定部３４は、ビデオ信号Ｓ５の連続した４フィールド以上のフィールドについての差分ＰＲＯ＿Ｄがしきい値ＰＲＯ＿ＴＨより大きく、かつ、差分ＰＲ＿Ｄが差分ＰＯ＿ＤのＺ倍（１６倍）より大きいという第１の条件と、差分ＰＲＯ＿Ｄがしきい値（−ＰＲＯ＿ＴＨ）より小さく、かつ、差分ＰＲ＿Ｄが差分ＰＯ＿Ｄの／１Ｚ倍（／１１６倍）より小さいという第２の条件とを交互に満たす場合に、その後、ビデオ信号Ｓ５が２−２シーケンス形式であると判定する。
【００３４】
以下、図７に示す２−２シーケンス判定部１５の動作例を説明する。
図１５は、図７に示す２−２シーケンス判定部１５の差分生成部３１，３２および判定用データ生成部３３の動作例を説明するためのフローチャートである。
本実施形態において、ステップＳＴ２，ＳＴ３，ＳＴ４が第１の発明の第１の工程に対応している。
【００３５】
ステップＳＴ１：
２−２シーケンス判定部１５の差分生成部３１，３２は、フィールド補間部１４からライン補間されたビデオ信号Ｓ２０を入力する。
ステップＳＴ２：
差分生成部３１は、ビデオ信号Ｓ２０の各々のフィ−ルドについて、図８に示すように、当該フィールドとその１つ前のフィールドとの差分ＰＲ＿Ｄを検出し、その差分ＰＲ＿Ｄを順に示す差分信号Ｓ＿ＰＲ＿Ｄを生成する。
【００３６】
ステップＳＴ３：
差分生成部３２は、ビデオ信号Ｓ２０の各々のフィ−ルドについて、図９に示すように、当該フィールドとその１つ後のフィールドとの差分ＰＯ＿Ｄを検出し、その差分ＰＯ＿Ｄを順に示す差分信号Ｓ＿ＰＯ＿Ｄを生成する。
ステップＳＴ３の処理は、例えば、前述したステップＳＴ２の処理と並行して行われる。
【００３７】
ステップＳＴ４：
判定用データ生成部３３は、図１０に示すように、各フィールドについて、図１０（Ａ）に示す差分ＰＲ＿Ｄから、図１０（Ｂ）に示す差分ＰＯ＿Ｄを差し引いた図１０（Ｃ）に示す差分ＰＲＯ＿Ｄ（＝ＰＲ＿Ｄ−ＰＯ＿Ｄ）を生成する。
ステップＳＴ５：
判定用データ生成部３３は、図１１に示すように、差分ＰＲＯ＿Ｄの絶対値が、所定のしきい値ＰＲＯ−ＴＨより大きい場合に第１の論理値（例えば、「１」）を示し、そうでない場合に第２の論理値（例えば、「０」）を示すデータＬ＿Ｄを生成する。
ステップＳＴ６：
判定用データ生成部３３は、図１２および図１３に示すように、図１２（Ａ）に示す差分ＰＲ＿Ｄを、図１０（Ｂ）に示す差分ＰＯ＿Ｄで除算したデータＰＲＯ＿Ｒを生成する。
【００３８】
ステップＳＴ７：
判定用データ生成部３３は、差分ＰＲ＿Ｄ、ＰＯ＿Ｄ、ＰＲＯ＿Ｒを用いて上記式（１）に示す演算を行ってデータＰＲＯ＿Ｒ＿Ｄを生成する。
ステップＳＴ８：
判定用データ生成部３３は、差分ＰＲ＿Ｄ、ＰＯ＿Ｄ、ＰＲＯ＿Ｒを用いて上記式（２）に示す演算を行ってデータＰＯＲ＿Ｒ＿Ｄを生成する。
【００３９】
ステップＳＴ９：
判定用データ生成部３３は、上記式（３）の論理演算を行って判定用データＰＬＵＳ＿Ｄを生成する。
ステップＳＴ１０：
判定用データ生成部３３は、上記式（４）の論理演算を行って判定用データＭＩＮＵＳ＿Ｄを生成する。
【００４０】
次に、判定部３４の動作例を説明する。
図１６は、図７に示す判定部３４の動作例を説明するためのフローチャートである。
ここで、図１６に示すステップＳＴ２１〜ＳＴ２７が第１の発明の第２の工程に対応している。
ステップＳＴ２１：
判定部３４は、図１５を用いて前述した判定用データ生成部３３の動作によって生成された判定用データＰＬＵＳ＿Ｄ，ＭＩＮＵＳ＿Ｄを入力する。
ステップＳＴ２２：
判定部３４は、ステップＳＴ２１で入力した判定用データＰＬＵＳ＿Ｄ，ＭＩＮＵＳ＿Ｄを基に、図１４に示す規則で状態遷移を行う。
このとき、判定部３４は、初期状態ＩＮＩＴに遷移するとカウント値Ｙを「０」にリセットし、状態Ｍ２あるいはＰ２に遷移するとカウント値Ｙを１だけインクリメントする（Ｙ＝Ｙ＋１）。
【００４１】
ステップＳＴ２３：
判定部３４は、ビデオ信号Ｓ５が２−２シーケンス形式ではないと判定している状態で、状態Ｐ２から状態Ｐ１に遷移し、かつ、Ｙがしきい値Ｘ（本実施形態では、Ｘ＝３）以上であると判断した場合にステップＳＴ２６に進み、そうでない場合にステップＳＴ２４に進む。
ここで、Ｙがしきい値Ｘ（＝３）以上としたのは、これにより、ビデオ信号Ｓ５の連続した４フィールド以上のフィールドについて、判定用データＭＩＮＵＳ＿ＤとＰＬＵＳ＿Ｄとが交互に繰り返し生成されたことを示し、ビデオ信号Ｓ５が２−２シーケンス形式であると判定可能なためである。
ステップＳＴ２４：
判定部３４は、ビデオ信号Ｓ５が２−２シーケンス形式ではないと判定している状態で、状態Ｍ２から状態Ｍ１に遷移し、かつ、Ｙがしきい値Ｘ（本実施形態では、Ｘ＝３）以上であると判断すると、ステップＳＴ２６に進み、そうでない場合にはステップＳＴ２５に進む。
【００４２】
ステップＳＴ２５：
判定部３４は、ビデオ信号Ｓ５が２−２シーケンス形式である判定している状態で初期状態ＩＮＩＴに遷移したと判断するとステップＳＴ２７に進み、そうでない場合にはステップＳＴ２１に戻る。
【００４３】
ステップＳＴ２６：
判定部３４は、ビデオ信号Ｓ５が２−２シーケンス形式であると判定する。
ステップＳＴ２７：
判定部３４は、ビデオ信号Ｓ５が２−２シーケンス形式ではないと判定する。
【００４４】
〔２−２変換部１６〕
２−２変換部１６は、例えば、図２に示すように、周波数６０Ｈｚの２−２シーケンス形式のビデオ信号Ｓ５から、周波数６０Ｈｚのプログレッシブ形式のビデオ信号Ｓ１６を生成し、これを出力部１８に出力する。
具体的には、２−２変換部１６は、ビデオ信号Ｓ５の奇数フィールドとそれに続く偶数フィ−ルドから、それぞれ連続する２フレームを生成することでビデオ信号Ｓ６を生成する。
【００４５】
〔ＩＰ変換部１７〕
ＩＰ変換部１７は、２−２シーケンス形式以外の形式のビデオ信号Ｓ５から、プログレッシブ形式のビデオ信号Ｓ１７を生成し、これを出力部１８に出力する。
【００４６】
〔出力部１８〕
出力部１８は、２−２シーケンス判定部１５からの判定信号Ｓ１５が２−２シーケンスであることを示す場合に、２−２変換部１６からのビデオ信号Ｓ１６を選択してビデオ信号Ｓ６として表示駆動部７に出力する。
また、出力部１８は、判定信号Ｓ１５が２−２シーケンスではないことを示す場合に、ＩＰ変換部１７からのビデオ信号Ｓ１７を選択してビデオ信号Ｓ６として表示駆動部７に出力する。
【００４７】
以下、図１に示すＩＰ変換部６の全体動作例を説明する。
当該動作例では、図１に示す前処理部５から、２−２シーケンス形式のビデオ信号Ｓ５をＩＰ変換部６が入力した場合を説明する。
ビデオ信号Ｓ５は、メモリ１３に書き込まれると共に、フィールド補間部１４に出力される。
フィールド補間部１４は、入力したビデオ信号Ｓ５の各フィールドをライン補間するフィールドからなるビデオ信号Ｓ１４を生成し、これを２−２シーケンス判定部１５に出力する。
また、２−２シーケンス判定部１５には、メモリ１３から読み出されたビデオ信号Ｓ５が入力される。
２−２シーケンス判定部１５へのビデオ信号Ｓ５およびビデオ信号Ｓ１４の入力をタイミング調整して同期させることで、ビデオ信号Ｓ５の各フィールドをライン補間して各フィールドが１フレーム分の画像情報を持つビデオ信号Ｓ２０が２−２シーケンス判定部１５に入力される。
【００４８】
図７に示す２−２シーケンス判定部１５では、図１５および図１６用いて前述した動作が行われ、当該動作例では、ビデオ信号Ｓ５が２−２シーケンス形式であると判定され、その判定結果を示す判定信号Ｓ１５が出力部１８に出力される。
また、２−２変換部１６が、例えば、図２に示すように、周波数６０Ｈｚの２−２シーケンス形式のビデオ信号Ｓ５から、周波数６０Ｈｚのプログレッシブ形式のビデオ信号Ｓ６を生成し、これをビデオ信号Ｓ１６として出力部１８に出力する。
それと並行して、ＩＰ変換部１７が、２−２シーケンス形式以外の形式のビデオ信号Ｓ５から、プログレッシブ形式のビデオ信号Ｓ１７を生成し、これを出力部１８に出力する。
【００４９】
そして、出力部１８が、２−２シーケンス判定部１５からの判定信号Ｓ１５を基に、ビデオ信号Ｓ１６を選択してビデオ信号Ｓ６として後段の表示駆動部７に出力する。
【００５０】
以上説明したように、２−２シーケンス判定部１５では、図１２に示す、ライン補間されたビデオ信号Ｓ２０から得た差分ＰＲ＿Ｄと差分ＰＯ＿Ｄとの差分ＰＲＯ＿Ｒを基に、ビデオ信号Ｓ５が２−２シーケンス形式であるか否かを判定する。ビデオ信号Ｓ５が２−２シーケンス形式の場合、差分ＰＲＯ＿Ｒは、差分ＰＲ＿Ｄに比べて、レベルの絶対値が大きくなり、差分ＰＲ＿Ｄを単体でしきい値と比較する従来に比べて高い信頼性で判定を行うことができる。
【００５１】
また、２−２シーケンス判定部１５では、上記差分ＰＲＯ＿Ｄに加えて、図１２に示すように、差分ＰＲ＿Ｄを差分ＰＯ＿Ｄで除算したデータＰＲＯ＿Ｒを基に、ビデオ信号Ｓ５が２−２シーケンス形式であるか否かを判定するため、上記従来に比べて高い信頼性で判定を行うことができる。
【００５２】
第２実施形態
本実施形態は、第２の発明に対応している。
カメラなどの撮像手段でビデオ信号Ｓ５が撮像される場合に、例えば、カメラがＰＡＮすることで、ビデオ信号Ｓ５によって表示される画像シーンが略静止状態になることがある。
本実施形態では、このようにカメラがＰＡＮした場合であっても、ビデオ信号Ｓ５が２−２シーケンス形式であるか否かを正確に判定できる信号処理装置について説明する。
すなわち、上述したように、カメラがＰＡＮし、その状態で得られたビデオ信号Ｓ５５に応じた画像の動きが小さい場合に、ビデオ信号Ｓ５５が２−２シーケンス形式であるにも係わらず、第１実施形態で説明した図１１に示す差分ＰＲＯ＿Ｄの絶対値がしきい値ＰＲＯ−ＴＨを越えない場合や、データＰＲＯ＿Ｒが所定のしきい値（１６倍）以上にならない場合が生じる。本実施形態では、このような場合でも、２−２シーケンス形式であるという判定を維持する。
【００５３】
本実施形態の信号処理装置のＩＰ変換部６ａは、図３に示す２−２シーケンス判定部１５ａの処理の一部が、第１実施形態の２−２シーケンス判定部１５と異なる。
【００５４】
図１７は、本実施形態の２−２シーケンス判定部１５ａの構成図である。
図１７に示すように、２−２シーケンス判定部１５ａは、差分生成部３１、差分生成部３２、判定用データ生成部３３ａおよび判定部３４ａを有する。
ここで、差分生成部３１が第２の発明の差分生成手段に対応し、判定用データ生成部３３ａおよび判定部３４ａが第２の発明の判定手段に対応している。
差分生成部３１，３２は第１実施形態で説明したものと同じである。
判定用データ生成部３３ａは、第１実施形態で説明した判定用データＰＬＵＳ＿Ｄ，ＭＩＮＵＳ＿Ｄの生成の他、判定用データＰＬＵＳ＿Ｄ＿Ｓ，ＭＩＮＵＳ＿Ｄ＿Ｓを生成し、これを判定部３４ａに出力する。
すなわち、判定用データ生成部３３ａは、前述した図１５に示す処理の他に、図１８に示す処理を行って判定用データＰＬＵＳ＿Ｄ＿Ｓ，ＭＩＮＵＳ＿Ｄ＿Ｓを生成する。
以下、図１８に示す各ステップについて説明する。
ステップＳＴ３１：
判定用データ生成部３３ａは、図１９に示すように、図１５に示すステップＳＴ４で生成した差分ＰＲＯ＿Ｄの絶対値が、しきい値ＰＲＯ＿ＴＨ＿Ｓ（第２の発明の第２のしきい値）より小さいか否かを判定し、小さいと判定するとステップＳＴ３２に進み、そうでない場合にはステップＳＴ３１の処理に戻る。
ここで、しきい値ＰＲＯ＿ＴＨ＿Ｓは、図１１に示すしきい値ＰＲＯ＿ＴＨ（第２の発明の第１のしきい値）のより小さい値を有している。
【００５５】
ステップＳＴ３２：
判定用データ生成部３３ａは、図１５に示すステップＳＴ４で生成した差分ＰＲＯ＿Ｄが正（０以上）であるか否かを判定し、正であると判断するとステップＳＴ３３に進み、負であると判定するとステップＳＴ３４に進む。
ステップＳＴ３３：
判定用データ生成部３３ａは、判定用データＰＬＵＳ＿Ｄ＿Ｓに論理値「１」を設定する。
ステップＳＴ３４：
判定用データ生成部３３ａは、判定用データＭＩＮＵＳ＿Ｄ＿Ｓに論理値「１」を設定する。
なお、判定用データＰＬＵＳ＿Ｄ＿Ｓ，ＭＩＮＵＳ＿Ｄ＿Ｓは、判定用データ生成部３３ａが各フィールドについて、図１８の処理を開始する度に論理値「０」に初期化される。
【００５６】
判定部３４ａは、判定用データＰＬＵＳ＿ＤおよびＭＩＮＵＳ＿Ｄに加えて判定用データＰＬＵＳ＿Ｄ＿Ｓ，ＭＩＮＵＳ＿Ｄ＿Ｓを基に、予め決められた複数の状態の間を遷移し、その状態により、ビデオ信号Ｓ５が２−２シーケンス形式であるか否かを判定する。
【００５７】
具体的には、判定部３４ａはその状態として、第１実施形態で説明した初期状態ＩＮＩＴ、並びに状態Ｍ１，Ｍ２，Ｐ１，Ｐ２の５つの状態の他に、図２０に示すように、状態Ｍ１１，Ｍ２１，Ｐ１１，Ｐ２１を有する。
判定部３４ａは、判定用データＰＬＵＳ＿Ｄ，ＭＩＮＵＳ＿Ｄ，ＰＬＵＳ＿Ｄ＿Ｓ，ＭＩＮＵＳ＿Ｄ＿Ｓを基に、上述した９つの状態ＩＮＩＴ，Ｍ１，Ｍ２，Ｐ１，Ｐ２，Ｍ１１，Ｍ２１，Ｐ１１，Ｐ２１の間を遷移する。
【００５８】
判定部３４ａは、第１実施形態で説明したように、初期状態ＩＮＩＴ，Ｍ１，Ｍ２の間、並びに初期状態ＩＮＩＴ，Ｐ１，Ｐ２の間で遷移する。
それに加えて、判定部３４ａは、状態Ｍ１にあるときに、判定用データＰＬＵＳ＿Ｄ＿Ｓが論理値「１」を示す場合に、状態Ｍ２１に遷移する。
また、判定部３４ａは、状態Ｍ２１にあるときに、判定用データＭＩＮＵＳ＿Ｄ＿Ｓが論理値「１」を示す場合に状態Ｍ１１に遷移し、判定用データＭＩＮＵＳ＿Ｄが論理値「１」を示す場合に状態Ｍ１に遷移する。
また、判定部３４ａは、状態Ｍ１１にあるときに、判定用データＰＬＵＳ＿Ｄ＿Ｓが論理値「１」を示す場合に状態Ｍ２１に遷移し、判定用データＰＬＵＳ＿Ｄが論理値「１」を示す場合に状態Ｍ２に遷移する。
また、判定部３４ａは、状態Ｍ２にあるときに、判定用データＭＩＮＵＳ＿Ｄ＿Ｓが論理値「１」を示す場合に、状態Ｍ１１に遷移する。
【００５９】
また、判定部３４ａは、状態Ｐ１にあるときに、判定用データＭＩＮＵＳ＿Ｄ＿Ｓが論理値「１」を示す場合に、状態Ｐ２１に遷移する。
また、判定部３４ａは、状態Ｐ２１にあるときに、判定用データＰＬＵＳ＿Ｄ＿Ｓが論理値「１」を示す場合に状態Ｐ１１に遷移し、判定用データＰＬＵＳ＿Ｄが論理値「１」を示す場合に状態Ｐ１に遷移する。
また、判定部３４ａは、状態Ｐ１１にあるときに、判定用データＭＩＮＵＳ＿Ｄ＿Ｓが論理値「１」を示す場合に状態Ｐ２１に遷移し、判定用データＭＩＮＵＳ＿Ｄが論理値「１」を示す場合に状態Ｐ２に遷移する。
また、判定部３４ａは、状態Ｐ２にあるときに、判定用データＰＬＵＳ＿Ｄ＿Ｓが論理値「１」を示す場合に、状態Ｐ１１に遷移する。
【００６０】
すなわち、判定部３４ａは、状態Ｍ１にある場合に判定用データＭＩＮＵＳ＿Ｄが論理値「１」を示した場合であっても、判定用データＰＬＵＳ＿Ｄ＿Ｓが論理値「１」を示す場合には、初期状態ＩＮＩＴに遷移せずに、状態Ｍ２１に遷移して前回の判定を維持する。
また、判定部３４ａは、状態Ｍ２にある場合に判定用データＭＩＮＵＳ＿Ｄが論理値「０」を示した場合であっても、判定用データＭＩＮＵＳ＿Ｄ＿Ｓが論理値「１」を示す場合には、初期状態ＩＮＩＴに遷移せずに、状態Ｍ１１に遷移して前回の判定を維持する。
判定部３４ａは、状態Ｐ１にある場合に判定用データＭＩＮＵＳ＿Ｄ￣が論理値「１」を示した場合であっても、判定用データＭＩＮＵＳ＿Ｄ＿Ｓが論理値「１」を示す場合には、初期状態ＩＮＩＴに遷移せずに、状態Ｐ２１に遷移して前回の判定を維持する。
すなわち、判定部３４ａは、状態Ｐ２にある場合に判定用データＰＬＵＳ＿Ｄが論理値「０」を示した場合であっても、判定用データＰＬＵＳ＿Ｄ＿Ｓが論理値「１」を示す場合には、初期状態ＩＮＩＴに遷移せずに、状態Ｐ１１に遷移して前回の判定を維持する。
【００６１】
本実施形態のＩＰ変換部６ａの動作例は、判定用データ生成部３３ａおよび判定部３４ａが上述した処理を行う点を除いて、第１実施形態で説明した判定用データ生成部３３の動作例と同じである。
【００６２】
以上説明したように、本実施形態の信号処理装置によれば、カメラがＰＡＮし、その時にビデオ信号Ｓ５５は映し出す画像の動きが小さくなり、差分ＰＲＯ＿Ｄの絶対値がしきい値ＰＲＯ−ＴＨを越えない場合や、データＰＲＯ＿Ｒが所定のしきい値（１６倍）以上にならない場合でも、差分ＰＲＯ＿Ｄの絶対値がしきい値ＰＲＯ＿ＴＨ＿Ｓより小さく、かつ、差分ＰＲＯ＿Ｄの符号が前回の判定時とは異なるという条件を満たせば、ビデオ信号Ｓ５が２−２シーケンスであるという前回の判定が維持できる。
これにより、２−２シーケンス形式のビデオ信号Ｓ５の判定の信頼性が高まる。
例えば、本実施形態の信号処理装置では、例えば、図２１に示すように、２−２シーケンス形式のビデオ信号Ｓ５５が、遠くに位置する船の画像１０１を含む画面１００から近くに位置する船の画像１０１ａを含む画面１００ａを順に表示するものである場合に、画像１０１の動きが小さい場合（例えば、差分ＰＲＯ＿Ｄの絶対値がしきい値ＰＲＯ＿ＴＨ＿Ｓより小さく、かつ、差分ＰＲＯ＿Ｄが正と負を繰り返す場合）でも、ビデオ信号Ｓ５５が２−２シーケンス形式であるという判定を維持できる。
【００６３】
【発明の効果】
以上説明したように、本発明によれば、共通の単数のフレームから連続した２つのフィールドを生成して得られた形式の画像信号であるか否かを高い信頼性で判定できる信号処理方法およびその装置を提供することができる。
【図面の簡単な説明】
【図１】図１は、本発明の第１実施形態に係わる信号処理装置の構成図である。
【図２】図２は、プログレッシブ形式の画像信号から２−２シーケンス形式の画像信号を生成する手法を説明するための図である。
【図３】図３は、図１に示すＩＰ変換部の構成図である。
【図４】図４は、図３に示すフィールド補間部の処理を説明するための図である。
【図５】図５は、図３に示すフィールド補間部の処理を説明するための図である。
【図６】図６は、図３に示す２−２シーケンス判定部が入力するビデオ信号を説明するための図である。
【図７】図７は、図３に示す２−２シーケンス判定部の構成図である。
【図８】図８は、図７に示す差分検出部が生成する差分信号ＰＲ＿Ｄを説明するための図である。
【図９】図９は、図７に示す差分検出部が生成する差分信号ＰＯ＿Ｄを説明するための図である。
【図１０】図１０は、差分ＰＲ＿Ｄから差分ＰＯ＿Ｄを減じた差分ＰＲＯ＿Ｄを説明するための図である。
【図１１】図１１は、図１０に示す差分ＰＲＯ＿Ｄを説明するための図である。
【図１２】図１２は、差分ＰＲ＿Ｄと差分ＰＯ＿Ｄとの比を示すデータＰＲＯ＿Ｒを説明するための図である。
【図１３】図１３は、図１２に示すデータＰＲＯ＿Ｒを説明するための図である。
【図１４】図１４は、図７に示す判定部が２−２シーケンス形式の判定に用いる状態遷移図である。
【図１５】図１５は、図７に示す２−２シーケンス判定部の判定用データ生成部の処理を説明するためのフローチャートである。
【図１６】図１６は、図７に示す２−２シーケンス判定部の判定部の動作例を説明するためのフローチャートである。
【図１７】図１７は、本発明の第２実施形態に係わるＩＰ変換部の２−２シーケンス判定部の構成図である。
【図１８】図１８は、図１７に示す判定用データ生成部の処理を説明するためのフローチャートである。
【図１９】図１８は、図１７に示す判定用データ生成部の処理を説明するための図である。
【図２０】図２０は、図１７に示す判定部が２−２シーケンス形式の判定に用いる状態遷移図である。
【図２１】図２１は、本発明の第２実施形態の信号処理装置の効果を説明するための図である。
【符号の説明】
１…信号処理装置、５…前処理部、６…ＩＰ変換部、７…表示駆動部、８…表示部、１３…メモリ、１４…フィールド補間部、１５，１５ａ…２−２シーケンス判定部、１６…２−２変換部、１７，１７ａ…ＩＰ変換部、１８…出力部、３１，３２…差分検出部、３３，３３ａ…判定用データ生成部、３４，３４ａ…判定部、
【図１】
2005057336.tif 000003
【図２】
2005057336.tif 000004
【図３】
2005057336.tif 000005
【図４】
2005057336.tif 000006
【図５】
2005057336.tif 000007
【図６】
2005057336.tif 000008
【図７】
2005057336.tif 000009
【図８】
2005057336.tif 000010
【図９】
2005057336.tif 000011
【図１０】
2005057336.tif 000012
【図１１】
2005057336.tif 000013
【図１２】
2005057336.tif 000014
【図１３】
2005057336.tif 000015
【図１４】
2005057336.tif 000016
【図１５】
2005057336.tif 000017
【図１６】
2005057336.tif 000018
【図１７】
2005057336.tif 000019
【図１８】
2005057336.tif 000020
【図１９】
2005057336.tif 000021
【図２０】
2005057336.tif 000022
【図２１】
2005057336.tif 000023